(57)【要約】【課題】中栓（４）から外蓋（６）を離脱せしめるために外蓋を開方向に回転せしめると、中栓の閉塞壁(１２)に形成されている破断可能薄肉ライン（１４）が破断されるように構成した容器蓋において、破断容易性、破断による除去領域の落下防止、除去領域の細長形状、製作容易及び中栓に外蓋を装着する際の破断可能薄肉ラインの破断防止を全て充足させる。【解決手段】外蓋の天面壁（３４）の下面には下方に突出する係止突起が形成され、この係止突起は少なくとも１個の外側係止突起（４２ａ、４２ｂ）と少なくとも１個の内側係止突起（４４ａ、４４ｂ）を含む。中栓の係止壁（２８）には被係合手段（３０、３２）が配設され、前記係止突起には係合手段（４６）が配設されており、中栓に対して外蓋が開方向に回転せしめられると係合手段とが被係合手段とが協働して、係止突起に対して係止壁が中心軸線方向に移動するのを防止すると共に係止突起が係止壁に対して閉方向に相対的に回転するのを防止する。【選択図】図９
2015178389.tif 000002
【特許請求の範囲】
【請求項１】
容器の口頸部に固着される中栓、及び該中栓に装着される外蓋を具備する容器蓋にして、
該中栓は閉塞壁と該閉塞壁の上面周縁部から上方に延出する円筒形装着壁とを有し、該閉塞壁には破断可能薄肉ラインによって囲繞された細長形状の除去領域が規定されており、該除去領域には該破断可能薄肉ラインに内接した下端縁から上方に突出する係止壁が配設されており、該装着壁の外周面には雄螺条が形成されており、
該外蓋は天面壁と該天面壁から垂下する円筒形被装着壁とを有し、該天面壁の下面における該被装着壁よりも内側の領域には下方に突出する係止突起が形成されており、該係止突起は少なくとも１個の外側係止突起と少なくとも１個の内側係止突起を含み、該被装着壁の内周面には該雄螺条と協働する雌螺条が形成されており、
該係止壁には被係合手段が配設され該係止突起には係合手段が配設されており、該中栓に対して該外蓋が開方向に回転せしめられると該係合手段及び該被係合手段によって、該係止突起に対して該係止壁が中心軸線方向に移動するのを防止すると共に該係止突起が該係止壁に対して閉方向に相対的に回転するのを防止する、
ことを特徴とする容器蓋。
【請求項２】
該外側係止突起は一対形成されており、一対の該外側係止突起の一方は該除去領域の長手方向片側において該係止壁の、該開方向に見て上流側に位置する外面に対向して位置せしめられ、一対の該外側係止突起の他方は該除去領域の長手方向他側において該係止壁の、該開方向に見て上流側に位置する外面に対向して位置せしめられており、
該被係合手段は該除去領域の長手方向片側及び他側において該係止壁の、該開方向に見て上流側に位置する外面に形成された溝或いは突条を含み、該係合手段は該外側係止突起の、該係止壁の該溝或いは該突条に対向する表面に形成されている突条或いは溝を含み、該外蓋が該開方向に回転せしめられると該外側係止突起の該突条或いは該溝が該係止壁の該溝或いは該突条に係合し、これによって該外側係止突起に対して該係止壁が中心軸線方向に移動するのを防止する、請求項１記載の容器蓋。
【請求項３】
該内側係止突起は一対形成されており、一対の該内側係止突起の一方は該除去領域の長手方向片側において該係止壁の、該開方向に見て下流側に位置する内面に対向して位置せしめられ、一対の該内側係止突起の他方は該除去領域の長手方向他側において該係止壁の、該開方向に見て下流側に位置する内面に対向して位置せしめられており、
該被係合手段は一対の係止片を含み、該係止片の一方は該除去領域の長手方向片側において該係止壁の内面に形成され、該係止片の他方は該除去領域の長手方向他側において該係止壁の内面に形成されており、該中栓に対して該外蓋が該開方向に回転せしめられると該内側係止突起が該係止片に係止せしめられ、これによって該内側係止突起が該係止壁に対して閉方向に相対的に回転するのを防止する、請求項１又は２記載の容器蓋。
【請求項４】
該除去領域は該破断可能薄肉ラインの外側領域よりも上方に変位せしめられている、請求項１から３までのいずれかに記載の容器蓋。
【発明の詳細な説明】
【技術分野】
【０００１】
本発明は、容器に固着される中栓及びこの中栓に装着される外蓋を具備する容器蓋に関する。
【背景技術】
【０００２】
醤油、食用油及びドレッシングの如き液体調味料のための容器蓋として、容器の口頸部に固着される中栓及びこの中栓に装着される外蓋を具備する容器蓋が広く実用に供されている。中栓は略水平に延在する閉塞壁とこの閉塞壁の上面周縁部から上方に延出する円筒形装着壁とを有する。閉塞壁には破断可能薄肉ラインによって囲繞された除去領域が規定されており、装着壁の外周面には雄螺条が形成されている。外蓋は天面壁とこの天面壁から垂下する円筒形被装着壁とを有する。被装着壁の内周面には雌螺条が形成されている。中栓に外蓋が装着されると、中栓の雌螺条が外蓋の雄螺条に螺合せしめられる。
【０００３】
上記形態の容器蓋の典型例においては、中栓の除去領域の上面には上方に延びる連結柱を介して引張リングが付設されている。容器の内容物を消費する際には、外蓋を開方向に回転せしめて外蓋の雌螺条と中栓の雄螺条との螺合を解除して中栓から外蓋を離脱し、引張リングを露呈せしめる。次いで、引張リングを引っ張って破断可能薄肉ラインを破断して除去領域を除去し、閉塞壁に排出口を生成する。かような形態の典型例においては、中栓から外蓋を離脱せしめた後に引張リングを引っ張って破断可能ラインを破断して除去領域を除去する操作が必要であり、使用勝手が必ずしも良好でない。
【０００４】
上記典型例における上述したとおりの問題を解決するために、下記特許文献１乃至４には、中栓に装着されている外蓋を中栓から離脱するために外蓋を開方向に回転せしめると、外蓋から中栓の除去領域に力が伝達されて破断可能薄肉ラインが破断されるように構成した容器蓋が開示されている。
【先行技術文献】
【特許文献】
【０００５】
【特許文献１】昭和５２年実用新案登録願第４６０２９号の明細書及び図面
【特許文献２】特開２００５−２８９３８９号公報
【特許文献３】特開２００７−２３８１４０号公報
【特許文献４】特開２００８−３０８２１８号公報
【発明の概要】
【発明が解決しようとする課題】
【０００６】
而して、中栓から外蓋を離脱せしめるために外蓋を開方向に回転せしめると破断可能薄肉ラインが破断されるように構成した容器蓋においては、（１）外蓋に過大な回転トルクを加える必要なくして破断可能薄肉ラインを充分容易に破断することができる、（２）破断可能薄肉ラインを破断することによって除去された除去領域は外蓋と共に中栓から離脱され、従って外蓋を除去した後に除去領域を指で摘んで排除する必要がない、（３）破断可能薄肉ラインによって規定されている除去領域の形状、従って除去領域を除去することによって形成される排出口の形状は、内容物の円滑な排出のために円形状ではなくて略楕円形状の如き細長形状である、（４）溶着等の煩雑な製作工程を必要とすることなく充分安価に製作することができる、（５）中栓に外蓋を所要とおりに装着する際に中栓に配設されている破断可能薄肉ラインが破断されてしまうことがない、という要件を充足することが望まれる。しかしながら、上記特許文献１乃至４に開示されている容器蓋は、いずれも上記５個の要件の全てを充足することができない。上記特許文献１に開示されている容器蓋は上記要件１、２及び５を充足することができず、上記特許文献２に開示されている容器蓋は上記要件４及び５の要件を充足することができず、上記特許文献３に開示されている容器蓋は上記要件１及び３の要件を充足することができず、上記特許文献４に開示されている容器蓋は上記要件３及び５を充足することができない。
【０００７】
本発明は上記事実に鑑みてなされたものであり、その主たる技術的課題は、上記要件１乃至５の全てを充足する、容器に固着される中栓及びこの中栓に装着される外蓋を具備する形態の新規且つ改良された容器蓋を提供することである。
【課題を解決するための手段】
【０００８】
本発明によれば、上記主たる技術的課題を解決する容器蓋として、容器の口頸部に固着される中栓、及び該中栓に装着される外蓋を具備する容器蓋にして、
該中栓は閉塞壁と該閉塞壁の上面周縁部から上方に延出する円筒形装着壁とを有し、該閉塞壁には破断可能薄肉ラインによって囲繞された細長形状の除去領域が規定されており、該除去領域には該破断可能薄肉ラインに内接した下端縁から上方に突出する係止壁が配設されており、該装着壁の外周面には雄螺条が形成されており、
該外蓋は天面壁と該天面壁から垂下する円筒形被装着壁とを有し、該天面壁の下面における該被装着壁よりも内側の領域には下方に突出する係止突起が形成されており、該係止突起は少なくとも１個の外側係止突起と少なくとも１個の内側係止突起を含み、該被装着壁の内周面には該雄螺条と協働する雌螺条が形成されており、
該係止壁には被係合手段が配設され該係止突起には係合手段が配設されており、該中栓に対して該外蓋が開方向に回転せしめられると該係合手段及び該被係合手段によって、該係止突起に対して該係止壁が中心軸線方向に移動するのを防止すると共に該係止突起が該係止壁に対して閉方向に相対的に回転するのを防止する、
ことを特徴とする容器蓋が提供される。
【０００９】
好ましくは、該外側係止突起は一対形成されており、一対の該外側係止突起の一方は該除去領域の長手方向片側において該係止壁の、該開方向に見て上流側に位置する外面に対向して位置せしめられ、一対の該外側係止突起の他方は該除去領域の長手方向他側において該係止壁の、該開方向に見て上流側に位置する外面に対向して位置せしめられており、該被係合手段は該除去領域の長手方向片側及び他側において該係止壁の、該開方向に見て上流側に位置する外面に形成された溝或いは突条を含み、該係合手段は該外側係止突起の、該係止壁の該溝或いは該突条に対向する表面に形成されている突条或いは溝を含み、該外蓋が該開方向に回転せしめられると該外側係止突起の該突条或いは該溝が該係止壁の該溝或いは該突条に係合し、これによって該外側係止突起に対して該係止壁が中心軸線方向に移動するのを防止する。該内側係止突起は一対形成されており、一対の該内側係止突起の一方は該除去領域の長手方向片側において該係止壁の、該開方向に見て下流側に位置する内面に対向して位置せしめられ、一対の該内側係止突起の他方は該除去領域の長手方向他側において該係止壁の、該開方向に見て下流側に位置する内面に対向して位置せしめられており、該被係合手段は一対の係止片を含み、該係止片の一方は該除去領域の長手方向片側において該係止壁の内面に形成され、該係止片の他方は該除去領域の長手方向他側において該係止壁の内面に形成されており、該中栓に対して該外蓋が該開方向に回転せしめられると該内側係止突起が該係止片に係止せしめられ、これによって該内側係止突起が該係止壁に対して閉方向に相対的に回転するのを防止するのが好適である。該除去領域は該破断可能薄肉ラインの外側領域よりも上方に変位せしめられているのが好都合である。
【発明の効果】
【００１０】
本発明の容器蓋においては、中栓から外蓋を離脱せしめるために外蓋を開方向に回転せしめると、外蓋の係止突起が中栓の係止壁に係止して外蓋から破断可能薄肉ラインに力が伝達され、これによって破断可能ラインが充分容易に破断されて細長形状の排出口が生成される。外蓋が開方向に回転せしめられると、外蓋の係止突起に配設されている係合手段と中栓の係止壁に配設されている被係合手段とが協働して、係止突起に対して係止壁が中心軸線方向に移動するのを防止すると共に該係止突起が該係止壁に対して閉方向に相対的に回転するのを防止し、従って破断可能薄肉ラインの破断によって除去された除去領域は外蓋から離脱されることなく外蓋に付随して中栓から離脱される。加えて、本発明の容器蓋は、溶着の如き煩雑な工程を遂行することなく充分安価に製作することができる。中栓に外蓋を所要とおりに装着する際に中栓の破断可能薄肉ラインに力が伝達されることはなく、破断可能薄肉ラインが破断されることはない。
【図面の簡単な説明】
【００１１】
【図１】本発明に従って構成された容器蓋の好適実施形態を、一部を断面で示す正面図。
【図２】図１の容器蓋における中栓の斜面図。
【図３】図１の容器蓋における中栓の正面図。
【図４】図１の容器蓋における中栓の断面図。
【図５】図１の容器蓋における中栓の平面図。
【図６】図１の容器蓋における外蓋を倒立状態で示す斜面図。
【図７】図１の容器蓋における外蓋の断面図。
【図８】図１の容器蓋を、中栓に外蓋が所要とおりに装着されている状態で示す断面図。
【図９】図８に示す状態における中栓の係止壁と外蓋の係止突起との関係を示す部分斜面図。
【図１０】図１の容器蓋を、中栓から外蓋を離脱するために外蓋を開方向に幾分回転せしめた状態で示す断面図。
【図１１】図１０に示す状態における中栓の係止壁と外蓋の係止突起との関係を示す部分斜面図。
【図１２】図１の容器蓋を、中栓から外蓋を離脱せしめた状態で示す断面図。
【図１３】図１２に示す状態における中栓の係止壁と外蓋の係止突起との関係を示す部分斜面図。
【図１４】係止片の変形例を示す部分簡略図。
【図１５】図１４の係止片の作用状態を示す部分簡略図。
【発明を実施するための形態】
【００１２】
以下、本発明に従って構成された容器蓋の好適実施形態を図示している添付図面を参照して更に詳細に説明する。
【００１３】
図１を参照して説明すると、本発明に従って構成された容器蓋は、二点鎖線で口頸部２のみを図示している容器の口頸部に固着される中栓４、及びこの中栓４に装着されている外蓋６を具備している。ポリエチレンテレフタレートの如き適宜の合成樹脂、ガラス或いは金属薄板から形成することができる容器の口頸部２は全体として円筒形状であり、上面は開口されている。口頸部２の外周面には係止あご部８とこの係止あご部８よりも下方に位置するサポートリング１０が形成されている。中栓４は軟質ポリエチレンの如き適宜の合成樹脂から射出乃至圧縮成形することができ、同様に外蓋６もポリプロピレンの如き適宜の合成樹脂から射出乃至圧縮成形することができる。
【００１４】
図１と共に図２乃至図５を参照して説明を続けると、中栓４は全体として水平に延在する円形閉塞壁１２を有している。この閉塞壁１２の中央領域には細長形状の除去領域が形成されていることが重要である。図示の実施形態においては、閉塞壁１２の中央領域に略楕円形状の破断可能薄肉ライン１４が形成されており、略楕円形状の除去領域１６が規定されている(特に図５を参照されたい)。図１及び図４を参照することによって明確に理解される如く、除去領域１６は破断可能薄肉ライン１４の外側領域よりも上方に変位せしめられており、除去領域１６の下面は破断可能薄肉ライン１４よりも外側の領域の上面と実質上同高或いはこれよりも幾分上方に位置せしめられているのが好適である。閉塞壁１２の下面には、最外周縁部から垂下する円筒形垂下壁１８と、この垂下壁１８よりも半径方向内側に位置する環状シール片２０とが形成されている。垂下壁１８の内周面下端部には環状係止突条１９が形成されている。閉塞壁１２の上面には、その外周縁部から上方に延出する円筒形装着壁２２と、装着壁２２よりも半径方向内側に位置する略円筒形状の注出筒２４が形成されている。装着壁２２の外周面には雄螺条２６が形成されている。注出筒２４の上端部は半径方向外方に円弧状に湾曲せしめられている。閉塞壁１２の上面には、更に、破断可能薄肉ライン１４に内接した下端縁から上方に突出する係止壁２８が形成されていることが重要である。係止壁２８は実質上鉛直に上方に突出せしめられていて略楕円筒形状であるのが好都合である。係止壁２８の、除去領域１６の長手方向片側において外蓋６の開回転方向（図２において矢印Ａで示す方向）上流側に位置する外面には、実質上水平に延びる溝３０が形成されている。同様に、図２には図示していないが、係止壁２８の、除去領域１６の長手方向他側においても外蓋６の開回転方向上流側に位置する外面には、実質上水平に延びる溝３０が形成されている。係止壁２８には、更に、除去領域１６の長手方向片側において外蓋６の開回転方向に見て下流側に位置する内面に係止片３２が形成され、同様に除去領域１６の長手方向他側においても外蓋６の開回転方向に見て下流側に位置する内面に係止片３２が形成されている。係止片３２は係止壁２８の内面を実質上鉛直に延在し、略二等辺三角形状の横断面形状を有する。上記溝３０及び係止片３２は、後の説明から明らかになるとおり、被係合手段を構成する。
【００１５】
図１と共に図６及び図７を参照して説明を続けると、図示の実施形態における外蓋６は円形天面壁３４とこの天面壁３４の外周縁から垂下する円筒形状のスカート壁３６とを有する。図１に図示する如く、スカート壁３６の外周面には掛けられる指の滑りを防止するためのナール（凹凸形状）３８が形成されている。天面壁３４の下面には、その外周縁部から下方に垂下する円筒形被装着壁４０、及び被装着壁４０よりも半径方向内側において下方に垂下する円筒形シール片４１が配設されている。被装着壁４０の内周面下部には雌螺条４３が形成されている。図６に明確に図示する如く、天面壁３４の下面には、更に、下方に突出する係止突起が形成されており、この係止突起は少なくとも１個の外側係止突起と少なくとも１個の内側係止突起を含むことが重要である。図示の実施形態においては、天面壁３４におけるシール片４１よりも半径方向内側の中央領域に４個の係止突起、即ち一対の外側係止突起４２ａ及び４２ｂと一対の内側係止突起４４ａ及び４４ｂとが配設されている。直径方向に対向して位置する一対の外側係止突起４２ａ及び４２ｂの各々は略勾玉形状であり、使用材料量を低減するために３個の空所が形成されている。一対の外側係止突起４２ａ及び４２ｂの各々の、中栓４における係止壁２８の溝３０が形成されている面に対向して位置せしめられる面には、実質上水平に延びる突条４６が形成されている。後に更に言及する如く、突条４６は係合手段を構成し、中栓４における係止壁２８に形成されている溝３０と協働する。所望ならば、図示の実施形態の場合とは逆に、係止壁２８に突条を形成し外側係止突起４２ａ及び４２ｂに溝を形成することもできる。直径方向に対向して位置する一対の内側突起４４ａ及び４４ｂの各々は、略台形状であり、使用材料量を低減するための２個の空所が形成されている。
【００１６】
上述したとおりの中栓４と外蓋６とは、中栓４の係止壁２８と外蓋６の外側係止突起４２ａ及び４２ｂ並びに内側係止突起４４ａ及び４４ｂとを図９に図示するとおりの関係に位置付けて、外蓋６内に中栓４を図８に図示する状態、即ち中栓４の閉塞壁１２の上面周縁部が外蓋６の被装着壁４０の下端に当接する状態、まで軸線方向に強制的に押込むことによって相互に組み合わされる。かくすると、図８に明確に図示する如く、中栓４の装着壁２２の外周面に形成されている雄螺条２６が外蓋６の被装着壁４０の内周面に形成されている雌螺条４３を弾性的に乗り越え、雄螺条２６と雌螺条４３とが相互に螺合せしめられた状態が確立される。中栓４と外蓋６とを相互に組み合わせる際に、中栓４に対して外蓋６が回転せしめられることはない。中栓４と外蓋６とが図８に示す状態に組み合わされると、外蓋６のシール片４１が中栓４の注出筒２４の内周面上端部に密接せしめられる。図８に示すとおりに組み合わされた容器蓋は、容器の口頸部２に対して図８に示す状態まで強制的に下降せしめることによって容器の口頸部２に装着される。かくすると、中栓４における垂下壁１８の内周面に形成されている係止突条１９が口頸部２の外周面に形成されている係止あご部８を弾性的に乗り越えてこれに係止せしめられ、中栓４が口頸部２に固着される。また、中栓４のシール片２０が口頸部２内に進入せしめられ、これによって口頸部２が密封される。
【００１７】
容器の内容物を消費する際には、外蓋６のスカート壁３６に指を掛けて、中栓４に装着されている外蓋６を開方向（矢印Ａで示す方向）に回転する。外蓋６が略２５度程度の角度に渡って開方向に回転せしめられると、図１０及び図１１に図示する状態となり、図１１を参照することによって明確に理解されるとおり、外側係止突起４２ａ及び４２ｂが係止壁２８の外面に当接せしめられ、外側係止突起４２ａ及び４２ｂに係止されている突条４６が係止壁２８の外面に形成されている溝３０に係合せしめられ、これによって外側係止突起４２ａ及び４２ｂに対して係止壁２８が軸線方向に移動することが防止される。内側係止突起４４ａ及び４４ｂは係止壁２８の内面に当接せしめられる。図９と図１１とを比較参照することによって理解される如く、内側係止突起４４ａ及び４４ｂは係止壁２８の内面に形成されている係止片３２を弾性的に乗り越え、かくして内側係止突起４４ａ及び４４ｂが係止壁２８に対して相対的に閉方向（矢印Ａで示す方向に対して反対方向で、図９及び図１１において上方から見て反時計方向）に回転することが防止される。外蓋６が更に開方向に回転せしめられると、図１２及び図１３に図示する如く、外側係止突起４２ａ及び４２ｂ並びに内側係止突起４４ａ及び４４ｂを介して係止壁２８に加えられる力によって破断可能薄肉ライン１４が破断されて除去領域１６が閉塞壁１２から除去され、排出口が生成される。閉塞壁１２から除去された、係止壁２８を含む除去領域１６は、外蓋６から落下することなく外蓋６と共に中栓４から離脱せしめられる。しかる後においては中栓４の閉塞壁１２に生成された排出口を通して内容物を排出することができる。内容物の必要量の排出が終了した後においては、必要に応じて係止壁２８を含む除去領域１６を外蓋６から離脱して、外蓋６を中栓４に被嵌し、次いで閉方向に回転せしめて外蓋６の被装着壁４０の内周面に形成されている雌螺条４４を中栓４の装着壁２２の外周面に形成されている雄螺条２６に螺合せしめて中栓４に再び外蓋６を装着し、排出口を閉じることができる。外蓋６のシール４１は中栓４の注出筒２４の内周面上端部に密接せしめられる。
【００１８】
図１４及び図１５は、係止壁２８の内面に配設されている係止片の変形例を図示している。図１４及び１５に図示する変形例においては、係止片３２は係止壁２８の長手方向片端内面及び長手方向他端内面の各々から延出するフラップから構成されている。外蓋６が図１４に図示する状態(図９に対応)から図１５に図示する状態（図１１に対応）まで開方向に回転せしめられると、内側係止突起４４ａ及び４４ｂは係止片３２を弾性的に乗り越え、係止片３２が内側係止突起４４ａ及び４４ｂの半径方向先端面に係止せしめられ、これによって内側係止突起４４ａ及び４４ｂが係止壁２８に対して相対的に閉方向に回転せしめられることが防止される。
【００１９】
以上、添付図面を参照して本発明に従って構成された容器蓋の好適実施形態について詳細に説明したが、本発明は係る実施形態に限定されるものではなく、本発明の範囲を逸脱することなく種々の変形乃至修正が可能であることは多言を要しない。例えば、図示の実施形態においては、被係合手段を構成する溝３０を係止壁２８の外面に配設し係合手段を構成する突条４６を外側係止突起４２ａ及び４２ｂに配設しているが、被係合手段を構成する溝３０を係止壁２８の内面に配設し係合手段を構成する突条４６を内側係止突起４４ａ及び４４ｂに配設することもできる。また、被係合手段を構成する係止片３２を係止壁２８の内面ではなくて外面に配設することもできる。更に、図示の実施形態においては容器蓋は、外周面には係止あご部が形成されている円筒形状の口頸部２を備えた容器に容器蓋を適用しているが、上記特許文献３に開示されている如く、所謂紙製容器の口頸部に容器蓋を適用することができる。この場合には、中栓における口頸部に溶着される部位の形態を上記特許文献３に開示されているとおりの形態に変更すればよい。
【符号の説明】
【００２０】
２：容器の口頸部
４：中栓
６：外蓋
１２：閉塞壁
１４：破断可能薄肉ライン
１６：除去領域
２２：装着壁
２６：雄螺条
２８：係止壁
３０：溝（被係合手段）
３２：係止片（被係合手段）
３４：天面壁
４０：被装着壁
４２ａ：外側係止突起
４２ｂ：外側係止突起
４４ａ：内側係止突起
４４ｂ：内側係止突起
４６：突条（係合手段）
【図１】
2015178389.tif 000003
【図２】
2015178389.tif 000004
【図３】
2015178389.tif 000005
【図４】
2015178389.tif 000006
【図５】
2015178389.tif 000007
【図６】
2015178389.tif 000008
【図７】
2015178389.tif 000009
【図８】
2015178389.tif 000010
【図９】
2015178389.tif 000011
【図１０】
2015178389.tif 000012
【図１１】
2015178389.tif 000013
【図１２】
2015178389.tif 000014
【図１３】
2015178389.tif 000015
【図１４】
2015178389.tif 000016
【図１５】
2015178389.tif 000017